(57)【要約】　　　（修正有）【課題】脱臭機能・抗菌機能・マイナスイオン発生機能を持った長期間使用できる車内用フロアーマットを提供する。【解決手段】天然ゴム、合成ゴム又は樹脂に鉱石の微粉末を直接練り込み又はマスターパッチ法により混入し、成形機にて板状に成形したものである。又先に成形した板状のマットに、鉱石分を混入した塗料を塗布したものや、鉱石分を混入したインクを板状の成形物に印刷しても同様の効果を得ることが出来る。【選択図】　なし【実用新案登録請求の範囲】
【請求項１】
微弱放射性物質を含有する鉱石の微粉末を天然ゴム、合成ゴムまたは樹脂に混入して板状体のマット状に成形し、車内用マットとした微弱放射性物質を含有するフロアーマット。
【請求項２】
微弱放射性物質を含有する鉱石の微粉末を塗料に混入し、この塗料を板状体に成形したマットの表面に塗布して一体化し、車内用マットとした微弱放射性物質を含有するフロアーマット。
【請求項３】
微弱放射性物質を含有する鉱石の微粉末をインクに混入し、このインクを板状体に成形したマットの表面に印刷して一体化し、車内用マットとした微弱放射性物質を含有するフロアーマット。
【考案の詳細な説明】
この考案は、天然に産出する一部の鉱石に含まれる放射性物質（トリウム、ラジウムなど）の特性を利用したもので、これらの成分を含む鉱石を破砕、微粉化したものを、従来使用されているマットの素材である天然ゴムや合成ゴム、または軟質の樹脂に練り込みシート状に加工したものである。これにより、足元に敷くだけで車内に大量のマイナスイオンが放出し続き、車内の空気環境を改善すると共に、タバコの煙りなどの悪臭を分解消臭し、且つ抗菌性を持ったフロアーマットを提供するものである。
［従来の技術］
【０００１】従来のフロアーマットは汚れの防止のみの目的で作られており、マット自体に機能を持たせるというものは見当らない。
【０００２】次に車内用の脱臭材についても、芳香剤が中心であり、逆に臭いそのものを嫌がるという欠点も見られ、長期的に使用した場合には高価である。
【０００３】電気的にマイナスイオンを放出して車内環境を改善するというものも商品化されているが高価であり電源を必要とする。
［考案の解決しようとする課題］
しかしながら、現在市販されているフロアーマットには脱臭性や抗菌性・マイナスイオン発生の機能を持っていない。
［課題を解決する手段］
この考案は、天然の鉱石に含まれる放射性物質の特性を利用したもので、トリウム等の物質はマイナスイオンを永続的に発生し続けるという特性を持っており、車内に敷いておくだけで、半永久的に足元よりマイナスイオンを放出し続け、車内の悪臭を分解消臭し、且つ抗菌性にも勝れており、長期間使用出来る上、安価なものを提供するものである。
【０００４】この様な天然の放射性物質を含んだ鉱石の実用化は多方面で行なわれており、例えば、衣服や寝具・イオン発生装置・塗料・クロスなど多くの商品が開発されている。微弱な放射線についての安全性には何ら問題の無いことは言うまでもない。
［考案の実施の形態］
図１は車内の前部の足元に敷くタイプで表裏ともにノンスリップ加工した合成ゴムの素材でつくられている。
図２は後部用として作られたものである。
【０００５】図１，２には１０ミクロン以下に調整された天然放射性鉱石の粉末が練り込まれており、その表面からはマイナスイオンが常時放出され続けている。
【０００６】図１，２は形態の一つの例であって、自由な形態で実施できることは言うまでもない。
【０００７】本実施例の素材は合成ゴムであるが、天然ゴム・合成樹脂などの素材にとらわれないことは言うまでもない。
【０００８】本実施における低放射性鉱物の成分は、酸化ジルコニュウム・珪酸・酸化鉄・酸化マンガン・酸化トリウム・酸化カルシュウム・酸化ラジウム・酸化マグネシュウム・酸化アルミニュウム・酸化セリウム等である。
【図１】
0003100512.tif 000002
【図２】
0003100512.tif 000003
【手続補正書】
【提出日】平成15年5月8日(2003.5.8)
【手続補正３】
【補正対象書類名】明細書
【補正対象項目名】図面の簡単な説明
【補正方法】追加
【補正の内容】
【図面の簡単な説明】
【図１】本考案の一実施例を示す板状成形フロアーマット
【図２】本考案の他実施例を示す板状成形フロアーマット
【図３】本考案の他実施例を示す板状成形フロアーマット
【符号の説明】
１：板状成形フロアーマット
２：鉱石の微粉末
３：塗料
４：インク


【手続補正４】
【補正対象書類名】明細書
【補正対象項目名】全文
【補正方法】追加
【補正の内容】
【考案の詳細な説明】
【０００１】
［考案の属する技術分野］
本考案は、微弱放射性鉱物を微粉化したものを混入した板状成形品に成形したり、成形した板状成形品に塗装したり、印刷したものを車内のマットとし、その表面よりマイナスイオンを継続的に発散させ、脱臭、抗菌の作用をさせるものに関するものである。
【０００２】
［従来の技術］
従来、車内のフロアーマットは床の汚れを防止するために用いられており、それ以上の機能を持ち合わせていない。
【０００３】
次に、車内用脱臭剤についても、芳香剤が中心であり、逆に芳香そのものを嫌がるという欠点もあり、長期的に使用した場合には高価である。
【０００４】
電気的にマイナスイオンを放出して車内環境を改善するというものも商品化されているが、高価であり電源を必要としている。
【０００５】
［考案が解決しようとする課題］
しかしながら、これらの現在市販されている商品は、それぞれ単独の機能のみを保持しており、費用面でも高価になりがちであった。
【０００６】
本考案の目的は、上記のような問題点を解消し、簡単に効果を得ることが出来るように、微放射性物質を含有する鉱石の微粉末を成形されたマット上に混入して、脱臭、抗菌、マイナスイオン発生の機能を同時に保有するフロアーマットを提供することにある。
【０００７】
上記目的を達成するため、第１案では微弱放射性物質を含有する鉱石の微粉末を天然ゴムや合成ゴム、樹脂に混入させ板状体に成形し、車内の床に敷く、微放射性物質を含有する板状成形品とした。
【０００８】
第２考案は、微放射性物質を含有する鉱石粉末を塗料に混入し、この塗料を板状に成形されたフロアーマットの表面全体に塗布して一体化し、車内の床に敷く、放射性物質を含有する板状成形品とした。
【０００９】
第３考案は、微放射性物質を含有する鉱石粉末をインクに混入し、このインクを板状に成形されたフロアーマットの表面全体に印刷して一体化し、車内の床に敷く、放射性物質を含有する板状成形品とした。
【００１０】
［作用］
本考案に用いる鉱石は、天然に産出する鉱石で、放射線（ガンマー線、アルファー線、べーたー線）を放出する成分（トリウム）や遠赤外線を放出する成分（ジルコニュウム）を利用したものである。この鉱石を微粉末化したものを利用して、板状成形品とし、フロアーマットとして車内の床に敷くことにより上記の効果を同時に、容易に得ることができるものである。
【００１１】
このように形成された板状成形品からは、鉱石の微粉末から微弱な放射線やマイナスイオンや遠赤外線が放出されつづけ、車内環境をマイナスイオンで改善し、同時に脱臭したり、抗菌の作用を持ち合わせ、且つ、半永久的に使用することができるものである。
【００１２】
［考案の実施の形態］
本考案は天然ゴム、合成ゴム又は樹脂に鉱石の微粉末を直接練り込み又はマスターパッチ法により混入し、成形機にて板状に成形したものである。又先に成形した板状のマットに、鉱石分を混入した塗料を塗布したものや、鉱石分を混入したインクを板状の成形物に印刷しても同様の効果を得ることが出来る。
【００１３】
［実施例］
以下、図面に示した実施例を説明する。図１において、１は板状成形品である。この板状成形品は、放射性物質を含む鉱石の微粉末２を天然ゴム、合成ゴム又は樹脂に混入して成形したものである。又図２に示したものは、板状成形品１の表面全体に鉱石の微粉末２を混入した塗料３を塗布して一体化したものである。図３に示したものは、板状成形品１の表面全体に鉱石の微粉末２を混入したインクを印刷して一体化したものである。
【００１４】
この鉱石の微粉末に含まれるトリウムは微弱な放射線α、β、γ線を放出し続けて崩壊していくが、そ寿命は半永久である。β線は電子線と呼ばれマイナスイオンを放出し続けており、空気や水を清浄化し悪臭を消す等の作用がある。本考案はこのマイナスイオンを発生させることが出来る板状成形品とした機能性車内用フロアーマットであり長期間にわたって効能を維持することが出来るものである。
【００１５】
本考案に用いる鉱石微粉末の成分は下記の通りである。
【００１６】
酸化ジルコニュウム、珪酸、酸化トリウム、酸化ラジウム、酸化ニオビュウム、酸化鉄、酸化マンガン、酸化カルシュウム、酸化アルミニュウム、酸化マグネシュウム等。
【００１７】
脱臭実験データーとして表１に示す。
鉱石粉末１ｇ及び５ｇを１００ｍｌのバイアル瓶に採取する。カプロン酸０．０９１ｍｇを先の密封したバイアル瓶に注入する。常温放置後３分、５分、１０分及び２０分後にバイアル瓶中のガス０．５ｍｌをガスクロマトグラフへ注入する。対象として空の密封したバイアル瓶に標準品を注入し、同様に敬時的にガスクロマトグラフにて測定した。
同様方法でトリメチルアミン、硫化水素にて実験を行なった。
0003100512.tif 000004
0003100512.tif 000005
【００１８】
表１から明らかなように、対照と比較して悪臭は減少していることがわかる。
【００１９】
［考案の効果］
本考案では、放射性物質を含有する鉱石の粉末を使用することで、車内に発生するタバコの煙などの不快な臭いを除去することができると共に、発生するマイナスイオンにより車内の空気環境を改善し快適な空間を得ることが出来、しかも抗菌作用により衛生的な場を効率的に安価で永続的に得ることが出来るものである。
［書類名］
【図面】
【図１】
0003100512.tif 000006
【図２】
0003100512.tif 000007
【図３】
0003100512.tif 000008
【手続補正５】
【補正対象書類名】明細書
【補正対象項目名】考案の詳細な説明
【補正方法】変更
【補正の内容】
【考案の詳細な説明】
【０００１】
［考案の属する技術分野］
本考案は、微弱放射性鉱物を微粉化したものを混入した板状成形品に成形したり、成形した板状成形品に塗装したり、印刷したものを車内のマットとし、その表面よりマイナスイオンを継続的に発散させ、脱臭、抗菌の作用をさせるものに関するものである。
【０００２】
［従来の技術］
従来、車内のフロア−マットは床の汚れを防止するために用いられており、それ以七の機能を持ち合わせていない。
【０００３】
次に、車内用脱臭剤についても、芳香剤が中心であり、逆に芳香そのものを嫌がるという欠点もあり、長期的に使用した場合には高価である。
【０００４】
電気的にマイナスイオンを放出して車内環境を改善するというものも商品化されているが、高価であり電源を必要としている。
【０００５】
［考案が解決しようとする課題］
しかしながら、これらの現在市販されている商品は、それぞれ単独の機能のみを保持しており、費用面でも高価になりがちであった。
【０００６】
本考案の目的は、上記のような問題点を解消し，簡単に効果を得ることが出来るように、微放射性物質を含有する鉱石の微粉末を成形されたマット上に混入して、脱臭、抗菌、マイナスイオン発生の機能を同時に保有するフロア−マットを提供することにある。
【０００７】
上記目的を達成するため、第１案では微弱放射性物質を含有する鉱石の微粉末を天然ゴムや合成ゴム、樹脂に混人させ板状体に成形し、車内の床に敷く、微放射性物質を含有する板状成形品とした。
【０００８】
第２考案は、微放射性物質を含有する鉱石粉末を塗料に混入し、この塗料を板状に成形されたフロア−マットの表面全体に塗布して一体化し、車内の床に敷く、放射性物質を含有する板状成形品とした。
【０００９】
第３考案は、微放射性物質を含有する鉱石粉末をインクに混入し、このインクを板状に成形されたフロアーマットの表齒全体に印刷して一体化し、車内の床に敷く、放射性物質を含有する板状成形晶とした。
【００１０】
［作用］
本考案に用いる鉱石は、天然に産出する鉱石で、放射線（ガンマ−線、アルファ−線、べ−た−線）を放出する成分（トリウム）や遠赤外線を放出する成分（ジルコニュウム）を利用したものである。この鉱石を微粉末化したものを利用して、板状成形品とし、フロア−マットとして車内の床に敷くことにより上記の効果を同時に、容易に得ることができるものである。
【００１１】
このように形成された板状成形品からは、鉱石の微粉末から微弱な放射線やマイナスイオンや遠赤外線が放出されつづけ、車内環境をマイナスイオンで改善し、同時に脱臭したり、抗菌の作用を持ち合わせ、且っ、半永久的に使用することができるものである。
【００１２】
「考案の実施の形態］
本考案は天然ゴム、合成ゴム又は樹脂に鉱石の微粉末を直接練り込み又はマスターパッチ法により混入し、成形機にて板状に成形したものである。又先に成形した板状のマットに、鉱石分を混入した塗料を塗布したものや、鉱石分を混入したインクを板状の成形物に印刷しても同様の効果を得ることが出来る。
【００１３】
［実施例］
以下、図面に示した実施例を説明する。図１において、１は板状成形品である。この板状成形品は、放射性物質を含む鉱石の微粉末２を天然ゴム、合成ゴム又は樹脂に混入して成形したものである。又図２に示したものは、板状成形品１の表面全体に鉱石の微粉末２を混入した塗料３を塗布して一体化したものである。図３に示したものは、板状成形品１の表面全体に鉱石の微粉末２を混入したインクを印刷して一体化したものである。
【００１４】
この鉱石の微粉末に含まれるトリウムは微弱な放射線α、β、γ線を放出し続けて崩壊していくが、そ寿命は半永久である。β線は電子線と呼ばれマイナスイオンを放出し続けており、空気や水を清浄化し悪臭を消す等の作用がある。本考案はこのマイナスイオンを発生させることが出来る板状成形品とした機能性車内用フロア−マットであり長期間にわたって効能を維持することが出来るものである。
【００１５】
本考案に用いる鉱石微粉末の成分は下記の通りである。
【００１６】
酸化ジルコニュウム、珪酸，酸化トリウム、酸化ラジウム、酸化ニオビュウム、酸化鉄、酸化マンガン、酸化カルシュウム、酸化アルミニュウム、酸化マグネシュウム等。
【００１７】
脱臭実験データーとして表１に示す。
鉱石粉末１ｇ及び５ｇを１００ｍｌのバイアル瓶に採取する。カプロン酸０．０９１ｍｇを先の密封したバイアル瓶に注入する。常温放置後３分、５分、１０分及び２０分後にバイアル瓶中のガス０．５臧をガスクロマトグラフヘ注入する。対象として空の密封したバイアル瓶に標準品を注入し、同様に敬時的にガスクロマトグラフにて測定した。
同様方法でトリメチルアミン、硫化水素にて実験を行なった。
0003100512.tif 000009
0003100512.tif 000010
【００１８】
表１から明らかなように、対照と比較して悪臭は減少していることがわかる。
【００１９】
［考案の効果］
本考案では、放射性物質を含有する鉱石の粉末を使用することで，車内に発生するタバコの煙などの丕快な臭いを除去することができると共に、発生するマイナスイオンにより車内の空気環境を改善し快適な空間を得ることが出来、しかも抗菌作用により衛生的な場を効率的に安価で永続的に得ることが出来るものである。
［その他］
商取引上の通称「和光商会亅は法人未登録であり大久保幸二はその代表者である。［氏名又は名称］の項に「和光商会」と記載したのは誤りであり、「大久保幸二」と補正致します。
［参考資料］
脱臭のメカニズム
１．悪臭防止法で特定物質に定められている物質は、アンモニア（ＮＨ３）、硫化水素（Ｈ２Ｓ）など自然界で発生するものと、合成されるもの２２物質ある。
２．気体中から悪臭物質を除去するには、第−に活性炭などの多孔質物質によるガス吸着吸収による方法と、第二に臭気成分を分解して無臭物質に変える方法がある。
３．低放射線鉱物に含まれる酸化トリウムからはアルファ（α）線、ベーター（β）線、ガンマー（γ）線が放出されている。
α線は、ヘリウム（Ｈｅ）原子核で重い粒子、直進するが透過力は小さい。
β線は、原子核から放出された高速の電子（−ｅ）。
γ線は、原子核から放出される超短波の電磁波。
４．原アを構成する原子核の周囲を回転する外郭電子は、α・β・γ線にはね飛ばされて原子をイオンにかえる電離作用を受けます。
電離作用は、α〉β〉γ線の順に強く、物質透過力は、γ〉β〉α線の順です。
５．悪臭の発生は、腐敗物が水分を含み、常温で細菌の活動が活発な時、腐敗物を分解してアンモニア（ＮＨ３）や硫化水素（Ｈ２Ｓ）を生成するためである。
６．水分に放射線が作用すると次の反応が起こります。
Ｈ２Ｏ→（Ｈ２Ｏ）＋イオン＋電子（−ｅ）十励起水分子（Ｈ２Ｏ）
Ｈ２Ｏ＋イオン→分解→Ｈ＋（水素イオン）＋ＯＨ（ヒドロキシルアルカリ基）
ＯＨ→２ＯＨ→Ｈ２Ｏ２（過酸化水素）
７．過酸化水素はアンモニアや硫化水素を酸化分解して無臭化します。
また、α・β・γ線は悪臭物質に直接作用して分子結合を切断するとされています。
８．また、放射線は生体高分子（炭水化物、蛋白質、脂質、核酸）に励起と電離作用を起し、分子結合を切断する現象を示し、細菌の作用を妨害して無臭化するとされています。


【手続補正６】
【補正対象書類名】図面
【補正対象項目名】全図
【補正方法】変更
【補正の内容】
0003100512.tif 000011
0003100512.tif 000012
0003100512.tif 000013